(57)【要約】【課題】筐体前面を構成するカバー部材と電子ダイヤルとの間から筐体内部に水等の液体や埃等の粉塵が侵入すると、筐体内部の電子部品の短絡により電子機器が故障する虞がある。【解決手段】  電子機器を、筐体と、筐体の前面に設けられた回転操作部と、筐体と回転操作部との間に位置する第一の防滴部材とを備える構成とする。【選択図】図２
2018105942.tif 000002
【特許請求の範囲】
【請求項１】
筐体と、
前記筐体の前面に設けられた回転操作部と、
前記筐体と前記回転操作部との間に位置する第一の防滴部材と、
を備える、
電子機器。
【請求項２】
前記回転操作部は、
ダイヤル本体と、
前記ダイヤル本体に固定された軸部と、
を含み、
前記筐体は、
前記軸部を介して前記ダイヤル本体を回転可能に支持する支持部を含み、
前記第一の防滴部材は、
前記軸部と前記支持部との間に配置されている、
請求項１に記載の電子機器。
【請求項３】
前記支持部は、
前記筐体の前面を構成する前カバーと別体であり、
前記電子機器は、
前記支持部と前記前カバーとの間に位置する第二の防滴部材
を更に備える、
請求項２に記載の電子機器。
【請求項４】
前記第一の防滴部材は、
Ｏリングである、
請求項１から請求項３の何れか一項に記載の電子機器。
【請求項５】
前記筐体の前面において前記回転操作部の下方に設けられているグリップ部と、
前記回転操作部と前記グリップ部との間に設けられており、該回転操作部を保護する保護部と、
を更に備える、
請求項１から請求項４の何れか一項に記載の電子機器。
【請求項６】
前記筐体の背面に設けられた背面側回転操作部
を更に備え、
前記ダイヤル本体は、
前記背面側回転操作部のダイヤル本体よりも厚みが厚い、
請求項１から請求項５の何れか一項に記載の電子機器。
【請求項７】
前記電子機器は撮影装置であり、
前記回転操作部は、
前記筐体の前面に設けられた前面側電子ダイヤルである、
請求項１から請求項６の何れか一項に記載の電子機器。
【発明の詳細な説明】
【技術分野】
【０００１】
本発明は、電子機器に関するものである。
【背景技術】
【０００２】
デジタルカメラ等の電子機器において筐体前面に電子ダイヤルを備えるものが知られている。例えば特許文献１に、グリップ部を保持したときに人差し指又は中指でダイヤル操作を無理なく行うことができるようにするため、筐体前面においてグリップ部の近傍に電子ダイヤルを設けた電子機器の具体的構成が記載されている。
【先行技術文献】
【特許文献】
【０００３】
【特許文献１】特開平９−３１１３５７号公報
【発明の概要】
【発明が解決しようとする課題】
【０００４】
しかし、特許文献１に記載の構成では、筐体前面を構成するカバー部材と電子ダイヤルとの間から筐体内部に水等の液体や埃等の粉塵が侵入すると、例えば筐体内部の電子部品の短絡により電子機器が故障する虞がある。
【０００５】
本発明は上記の事情に鑑みてなされたものであり、その目的とするところは、筐体と電子ダイヤル等の回転操作部との間から筐体内部に液体や粉塵が侵入するのを防ぐことが可能な電子機器を提供することである。
【課題を解決するための手段】
【０００６】
本発明の一実施形態に係る電子機器は、筐体と、筐体の前面に設けられた回転操作部と、筐体と回転操作部との間に位置する第一の防滴部材とを備える。
【発明の効果】
【０００７】
本発明の一実施形態によれば、筐体と回転操作部との間から筐体内部に液体や粉塵が侵入するのを防ぐことが可能な電子機器が提供される。
【図面の簡単な説明】
【０００８】
【図１】本発明の一実施形態に係る電子機器の構成を示す図である。
【図２】本発明の一実施形態に係る電子機器の構成を示す図である。
【発明を実施するための形態】
【０００９】
以下、本発明の実施形態について図面を参照しながら説明する。
【００１０】
図１は、本発明の一実施形態に係る電子機器１の構成を示す図である。図１（ａ）は、本実施形態に係る電子機器１の正面図を示し、図１（ｂ）は、本実施形態に係る電子機器１の上面図を示し、図１（ｃ）は、本実施形態に係る電子機器１の背面図を示す。図１（ｄ）は、図１（ａ）のＡ−Ａ線における電子機器１の断面図を示す。なお、本実施形態に係る電子機器１は、撮影装置の一形態であるデジタル一眼レフカメラである。電子機器１は、デジタル一眼レフカメラに限らず、ミラーレス一眼カメラ、コンパクトデジタルカメラ、ビデオカメラ、カムコーダ、デスクトップＰＣ、ノートＰＣ、タブレット端末、ＰＨＳ（Personal Handy phone System）、スマートフォン、フィーチャフォン、ゲーム機等の、防塵防滴性を持つことが好ましい他の電子機器に置き換えてもよい。
【００１１】
図１に示されるように、電子機器１は、筐体１０を有している。筐体１０は、前カバー１０Ａ、後カバー１０Ｂ、上カバー１０Ｃ及び下カバー１０Ｄを備えている。前カバー１０Ａと後カバー１０Ｂとが取り付けられた状態で上方から上カバー１０Ｃが取り付けられ、次いで、下カバー１０Ｄが下方から取り付けられると、筐体１０が完成する。
【００１２】
前カバー１０Ａにはグリップ部１２が取り付けられている。前カバー１０Ａを挟んだグリップ部１２の反対側（筐体１０内部）には、電池室１４が設けられている。電池室１４には、バッテリ１６が着脱可能に収容されている。
【００１３】
図１（ｄ）に示されるように、バッテリ１６は、外形が略直方体であり、厚み方向が筐体１０の厚み方向と一致する向きで電池室１４内に収容されている。バッテリ１６は、高さ、幅及び厚みの中で厚み方向の寸法が最も小さい。そのため、バッテリ１６を収容する電池室１４の厚み方向の寸法が抑えられ、電子機器１（より正確には筐体１０）の薄型化が達成される。
【００１４】
図１（ａ）に示されるように、筐体１０の前面（前カバー１０Ａ）においてグリップ部１２の上方には前面側電子ダイヤル（回転操作部）１００が設けられている。前面側電子ダイヤル１００は、電子機器１に交換可能に装着される撮影レンズの光軸（言い換えると、筐体１０の厚み方向）と略平行な方向の軸を中心に回転する回転操作部であり、一例として、絞り値やシャッタスピードを選択する機能が割り当てられる。
【００１５】
図２（ａ）に、前カバー１０Ａ及び前カバー１０Ａに取り付けられた前面側電子ダイヤル１００の分解斜視図を示す。また、図２（ｂ）に、図１（ｄ）の領域Ｂを拡大した拡大図を示す。
【００１６】
図２（ａ）に示されるように、前面側電子ダイヤル１００は、ダイヤル本体である、ダイヤル１０２、ダイヤルゴム１０４、ダイヤル固定用ビス１０６及びダイヤル化粧板１０８を備えている。また、前面側電子ダイヤル１００は、ダイヤル本体に固定された軸部であるダイヤル軸１１０を備えている。
【００１７】
ダイヤル１０２は、円環形状を持つ樹脂部品である。ダイヤルゴム１０４は、ダイヤル１０２の外周面及びダイヤル１０２の前面の周縁部分を覆うゴム部品である。ダイヤルゴム１０４は、表面（外周面及び側面）に周期的な凹凸形状が刻まれている。表面に刻まれた凹凸形状により、ユーザが指を当ててダイヤルゴム１０４を回転させるときに必要な摩擦係数が確保されている。
【００１８】
図１（ｃ）に示されるように、筐体１０の背面には、背面側電子ダイヤル２０が設けられている。図１（ｂ）に示される前面側電子ダイヤル１００と図１（ｃ）に示される背面側電子ダイヤル２０とを比較すると判るように、前面側電子ダイヤル１００は、その厚み（より具体的には、ダイヤルゴム１０４の外周面の幅）が背面側電子ダイヤル２０の厚みよりも厚い。このように、前面側電子ダイヤル１００の厚みを厚くすることにより、ユーザの指がダイヤルゴム１０４に掛かりやすくなり、前面側電子ダイヤル１００の操作性が向上する。
【００１９】
前カバー１０Ａには、ダイヤル用開口１０Ａａが形成されている。前カバー１０Ａの裏側（筐体１０内側）において、ダイヤル用開口１０Ａａの周囲には、台座用ビス１１４用のビス孔が複数形成されている。筐体１０の一構成要素であるダイヤル台座１１２は、前カバー１０Ａの裏側に台座用ビス１１４によって取り付けられる。これにより、ダイヤル台座１１２は、その中心がダイヤル用開口１０Ａａの中心と一致する位置で前カバー１０Ａに固定される。
【００２０】
なお、本実施形態では、前カバー１０Ａは、軽量で且つ高い堅牢性を確保するため、マグネシウム合金等の金属で形成されている。そのため、前カバー１０Ａと樹脂部品であるダイヤル台座１１２とが別部品で構成されている。一方、別の一実施形態では、前カバー１０Ａとダイヤル台座１１２とを一体にした樹脂部品としてもよい。
【００２１】
ダイヤル台座１１２の中央には軸孔（貫通孔）１１２Ａが形成されている。軸孔１１２Ａには、ダイヤル軸１１０の中間軸１１０Ａが挿入される。
【００２２】
ダイヤル軸１１０には、中間軸１１０Ａより先端側に中間軸１１０Ａよりも細い先端軸１１０Ｂが形成されている。先端軸１１０Ｂは、軸孔１１２Ａに中間軸１１０Ａが挿入された後の工程でダイヤル１０２の軸孔１０２Ａに嵌め込まれる。次いで、ダイヤル軸１１０に形成された軸孔１１０Ｃにダイヤル固定用ビス１０６がとめられる。続いて、美観を向上させるため、ダイヤル化粧板１０８がダイヤル１０２に接着等によって取り付けられて、ダイヤル固定用ビス１０６及びダイヤル１０２のうちダイヤルゴム１０４から外観上露出する領域が覆い隠される。これにより、ダイヤル本体（ダイヤル１０２、ダイヤルゴム１０４、ダイヤル固定用ビス１０６及びダイヤル化粧板１０８）とその軸部（ダイヤル軸１１０）とを固定する作業が完了する。
【００２３】
図１（ａ）に示されるように、前カバー１０Ａにおいて、ダイヤル用開口１０Ａａとグリップ部１２との境界位置には、ダイヤル用開口１０Ａａの下方側を取り囲う円弧状の保護部１８が形成されている。保護部１８が形成されていることにより、例えば、グリップ部１２を把持するユーザの手が前面側電子ダイヤル１００に意図せずに接触することによる、前面側電子ダイヤル１００の誤操作が防止される。また、本実施形態では、前カバー１０Ａからグリップ部１２を着脱できるようになっている。保護部１８が形成されていることにより、着脱時における前面側電子ダイヤル１００とグリップ部１２との機械的干渉が保護部１８によって防止されるため、グリップ部１２による前面側電子ダイヤル１００の損傷が避けられる。
【００２４】
ダイヤル軸１１０の中間軸１１０Ａの径とダイヤル台座１１２の軸孔１１２Ａの径は設計上同一寸法であるが、前者はマイナス公差で仕上げられ、後者は、プラス公差で仕上げられている。そのため、ユーザがダイヤルゴム１０４に指を当てて回転させると、ダイヤル軸１１０は、軸孔１１２Ａ内で回転する。すなわち、ダイヤル台座１１２は、軸孔１１２Ａに挿入されたダイヤル軸１１０（より正確には、ダイヤル軸１１０を含む前面側電子ダイヤル１００全体）を回転可能に支持している。
【００２５】
ダイヤル軸１１０には、中間軸１１０Ａより基端側にフランジ１１０Ｄが形成されている。フランジ１１０Ｄは、その外径がダイヤル台座１１２の軸孔１１２Ａの径よりも大きいため、前面側電子ダイヤル１００がダイヤル台座１１２から抜けてしまうことを防止する役割を果たす。
【００２６】
ダイヤル台座１１２には、エンコーダ回路１１６が基板用ビス１１８によって取り付けられている。エンコーダ回路１１６により、前面側電子ダイヤル１００の回転が検出される。
【００２７】
ダイヤル台座１１２の軸孔１１２Ａの周囲には、複数の凹部１１２Ｂが形成されている。例えば、前カバー１０Ａの表面（外面側）を上側に向けた姿勢で各クリックバネ１２０の一端が各凹部１１２Ｂに入れられて且つクリックバネ１２０の他端にクリックボール１２２が乗せられた状態で、ダイヤル軸１１０の先端軸１１０Ｂがダイヤル１０２の軸孔１０２Ａに嵌め込まれる。これにより、クリックボール１２２は、ダイヤル１０２の裏面１０２Ｂとダイヤル台座１１２との間において、クリックバネ１２０を介してダイヤル台座１１２に保持され、且つクリックバネ１２０によって裏面１０２Ｂに付勢された状態となる。
【００２８】
ダイヤル１０２の裏面１０２Ｂには、複数の凸部１０２Ｃが軸孔１０２Ａの周囲に所定の角度ピッチで形成されている。ユーザにより前面側電子ダイヤル１００が回転操作されると、ダイヤル台座１１２に対してダイヤル１０２が回転する。これにより、ダイヤル台座１１２に保持されているクリックボール１２２は、ダイヤル１０２の回転角に応じた数の凸部１０２Ｃを乗り越える。クリックボール１２２が凸部１０２Ｃを乗り越えるときの負荷が前面側電子ダイヤル１００を操作するユーザに適度なクリック感を与える。
【００２９】
軸孔１１２Ａは段付き孔となっており、最上部の径が他の部分より大きくなっている。以下、説明の便宜上、径の大きいこの部分を「大径部１１２Ａａ」と記す。
【００３０】
上述したように、軸孔１１２Ａにはダイヤル軸１１０（中間軸１１０Ａ）が挿入される。そのため、中間軸１１０Ａの挿入後、大径部１１２Ａａには円環状のスペースを確保する事ができる。このスペースには、図２に示されるように、止水部材（防塵防滴部材）であるＯリング１２４が嵌め込まれる。これにより、前面側電子ダイヤル１００と筐体１０（の一構成要素であるダイヤル台座１１２）との間の水密性が確保されて、前面側電子ダイヤル１００と筐体１０との間から筐体１０内部に水等の液体や埃等の粉塵が侵入することが防止される。
【００３１】
なお、図２に示されるように、前カバー１０Ａとダイヤル台座１１２との間に止水部材（例えばスポンジ）１２６が嵌め込まれ、前カバー１０Ａと上カバー１０Ｃとの間に止水部材（例えばスポンジ）１２８が嵌め込まれている。これらの止水部材により、筐体１０の各部品間の隙間が埋められて、筐体１０の水密性が確保される。
【００３２】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００３３】
上記の実施形態では、前面側電子ダイヤル１００の防塵防滴構造について説明したが、筐体１０の前面（主に前カバー１０Ａ）に設けられる別の操作部材を防塵防滴構造とすることも本発明の範疇である。この種の操作部材には、例えば、つまみ式操作部材やスライド式操作部材、ジョイスティック式操作部材、レバースイッチ等が挙げられる。
【符号の説明】
【００３４】
１  電子機器
１０  筐体
１０Ａ  前カバー
１０Ａａ  ダイヤル用開口
１０Ｂ  後カバー
１０Ｃ  上カバー
１２  グリップ部
１４  電池室
１６  バッテリ
１８  保護部
２０  背面側電子ダイヤル
１００  前面側電子ダイヤル
１０２  ダイヤル
１０２Ａ  軸孔
１０２Ｂ  裏面
１０２Ｃ  凸部
１０４  ダイヤルゴム
１０６  ダイヤル固定用ビス
１０８  ダイヤル化粧板
１１０  ダイヤル軸
１１０Ａ  中間軸
１１０Ｂ  先端軸
１１０Ｃ  軸孔
１１０Ｄ  フランジ
１１２  ダイヤル台座
１１２Ａ  軸孔
１１２Ａａ  大径部
１１２Ｂ  凹部
１１４  台座用ビス
１１６  エンコーダ回路
１１８  基板用ビス
１２０  クリックバネ
１２２  クリックボール
１２４  Ｏリング
１２６、１２８  止水部材
【図１】
2018105942.tif 000003
【図２】
2018105942.tif 000004